(57)【特許請求の範囲】
【請求項１】
界磁コイルの通電電流をスイッチング制御するスイッチングトランジスタを有する界磁電流スイッチング回路部、
バッテリの電圧及び所定の目標電圧に基づいて前記スイッチングトランジスタを断続制御するスイッチングトランジスタ制御回路部、
前記スイッチングトランジスタ制御回路部へ印加するための内部電源電圧を前記バッテリからの給電電力により形成する内部電源回路部、
各前記回路部がモ−ルド封止したＩＣ又は前記各回路部を収容するケース、
前記バッテリから前記内部電源回路部に内部電源ラインを通じて給電するバッテリ電圧給電端子、及び、
前記内部電源ラインもしくは前記バッテリ電圧給電端子に嵌着される磁性体、
車載のイグニッションスイッチの一端に直接又はランプを介して接続されるＩＧオン検出ラインに接続されて前記イグニッションスイッチのオンを検出するＩＧオン検出端子、
前記バッテリの高位端に接続されてバッテリ電圧検出ラインを通じて前記バッテリの電圧を前記スイッチングトランジスタ制御回路部に入力するためのバッテリ電圧検出端子、及び、前記バッテリ電圧検出ライン又は前記バッテリ電圧検出端子と前記バッテリの負極電位に等しい電位源とを接続する高周波バイパスコンデンサ、
異常を知らせるための警告灯を介して前記バッテリの高位端に接続された警報端子、
を備えた車両用交流発電機の制御装置において、
前記磁性体は、前記内部電源ラインもしくは前記バッテリ電圧給電端子に嵌着されて前記ケースに固定され、
前記バッテリ電圧給電端子、前記ＩＧオン検出端子、前記バッテリ電圧検出端子、前記高周波バイパスコンデンサ及び前記警報端子は、前記スイッチングトランジスタ制御回路部に接続されて前記ケース外部の配線と接続可能に、前記ケースに固定されていることを特徴とする車両用交流発電機の制御装置。
【請求項２】
界磁コイルの通電電流をスイッチング制御するスイッチングトランジスタを有する界磁電流スイッチング回路部、
バッテリの電圧及び所定の目標電圧に基づいて前記スイッチングトランジスタを断続制御するスイッチングトランジスタ制御回路部、
前記スイッチングトランジスタ制御回路部へ印加するための内部電源電圧を前記バッテリからの給電電力により形成する内部電源回路部、
各前記回路部がモ−ルド封止したＩＣ又は前記各回路部を収容するケース、
前記バッテリから前記内部電源回路部に内部電源ラインを通じて給電するバッテリ電圧給電端子、及び、
前記内部電源ラインもしくは前記バッテリ電圧給電端子に嵌着される磁性体、
車載のイグニッションスイッチの一端に直接又はランプを介して接続されるＩＧオン検出ラインに接続されて前記イグニッションスイッチのオンを検出するＩＧオン検出端子、及び、前記ＩＧオン検出ライン又は前記ＩＧオン検出端子に嵌着される磁性体、
前記バッテリの高位端に接続されてバッテリ電圧検出ラインを通じて前記バッテリの電圧を前記スイッチングトランジスタ制御回路部に入力するためのバッテリ電圧検出端子、及び、前記バッテリ電圧検出ライン又は前記バッテリ電圧検出端子と前記バッテリの負極電位に等しい電位源とを接続する高周波バイパスコンデンサ、
異常を知らせるための警告灯を介して前記バッテリの高位端に接続された警報端子、
を備えた車両用交流発電機の制御装置において、
前記磁性体は、前記バッテリ電圧給電端子及び前記ＩＧオン検出端子のみに嵌着されて前記ケースに固定され、
前記バッテリ電圧給電端子、前記ＩＧオン検出端子、前記バッテリ電圧検出端子、前記高周波バイパスコンデンサ及び前記警報端子は、前記スイッチングトランジスタ制御回路部に接続されて前記ケース外部の配線と接続可能に、前記ケースに固定されていることを特徴とする車両用交流発電機の制御装置。
【請求項３】
界磁コイルの通電電流をスイッチング制御するスイッチングトランジスタを有する界磁電流スイッチング回路部、
バッテリの電圧及び所定の目標電圧に基づいて前記スイッチングトランジスタを断続制御するスイッチングトランジスタ制御回路部、
前記スイッチングトランジスタ制御回路部へ印加するための内部電源電圧を前記バッテリからの給電電力により形成する内部電源回路部、
各前記回路部がモ−ルド封止したＩＣ又は前記各回路部を収容するケース、
前記バッテリから前記内部電源回路部に内部電源ラインを通じて給電するバッテリ電圧給電端子、及び、
前記内部電源ラインと直列に接続されるインダクタンス素子、
車載のイグニッションスイッチの一端に直接又はランプを介して接続されるＩＧオン検出ラインに接続されて前記イグニッションスイッチのオンを検出するＩＧオン検出端子、
前記バッテリの高位端に接続されてバッテリ電圧検出ラインを通じて前記バッテリの電圧を前記スイッチングトランジスタ制御回路部に入力するためのバッテリ電圧検出端子、及び、前記バッテリ電圧検出ライン又は前記バッテリ電圧検出端子と前記バッテリの負極電位に等しい電位源とを接続する高周波バイパスコンデンサ、
警告灯を介して前記バッテリの高位端に接続された異常を知らせるための警報端子、
を備えた車両用交流発電機の制御装置において、
前記インダクタンス素子は、前記内部電源ラインと前記バッテリ電圧給電端子とに直列接続されて前記ケースに固定され、
前記バッテリ電圧給電端子、前記ＩＧオン検出端子、前記バッテリ電圧検出端子、前記高周波バイパスコンデンサ及び前記警報端子は、前記スイッチングトランジスタ制御回路部に接続されて前記ケース外部の配線と接続可能に、前記ケースに固定されていることを特徴とする車両用交流発電機の制御装置。
【請求項４】
界磁コイルの通電電流をスイッチング制御するスイッチングトランジスタを有する界磁電流スイッチング回路部、
バッテリの電圧及び所定の目標電圧に基づいて前記スイッチングトランジスタを断続制御するスイッチングトランジスタ制御回路部、
前記スイッチングトランジスタ制御回路部へ印加するための内部電源電圧を前記バッテリからの給電電力により形成する内部電源回路部、
各前記回路部がモ−ルド封止したＩＣ又は前記各回路部を収容するケース、
前記バッテリから前記内部電源回路部に内部電源ラインを通じて給電するバッテリ電圧給電端子、及び、
前記内部電源ラインと直列に接続されるインダクタンス素子、
車載のイグニッションスイッチの一端に直接又はランプを介して接続されるＩＧオン検出ラインに接続されて前記イグニッションスイッチのオンを検出するＩＧオン検出端子、及び、前記ＩＧオン検出ラインに直列に装着されるインダクタンス素子、
前記バッテリの高位端に接続されてバッテリ電圧検出ラインを通じて前記バッテリの電圧を前記スイッチングトランジスタ制御回路部に入力するためのバッテリ電圧検出端子、及び、前記バッテリ電圧検出ライン又は前記バッテリ電圧検出端子と前記バッテリの負極電位に等しい電位源とを接続する高周波バイパスコンデンサ、
異常を知らせるための警告灯を介して前記バッテリの高位端に接続された警報端子、
を備えた車両用交流発電機の制御装置において、
前記インダクタンス素子は、前記バッテリ電圧給電端子及び前記ＩＧオン検出端子のみに直列接続されて前記ケースに固定され、
前記バッテリ電圧給電端子、前記ＩＧオン検出端子、前記バッテリ電圧検出端子、前記高周波バイパスコンデンサ及び前記警報端子は、前記スイッチングトランジスタ制御回路部に接続されて前記ケース外部の配線と接続可能に、前記ケースに固定されていることを特徴とする車両用交流発電機の制御装置。
【請求項５】
請求項１又は２記載の車両用交流発電機の制御装置において、
前記磁性体は、前記バッテリ電圧給電端子と前記界磁コイルとの接続部位よりも前記内部電源回路部側に位置して前記バッテリ電圧給電端子又は前記内部電源ラインに嵌着されることを特徴とする車両用交流発電機の制御装置。
【請求項６】
請求項５記載の車両用交流発電機の制御装置において、
前記磁性体は、樹脂製のケ−スに一体に設けられた樹脂製のコネクタ部に埋設されることを特徴とする車両用交流発電機の制御装置。
【請求項７】
請求項５記載の車両用交流発電機の制御装置において、
前記磁性体は、樹脂製のケ−スに一体に設けられた樹脂製のコネクタ部の底面に凹設された磁性体収容溝に収容されていることを特徴とする車両用交流発電機の制御装置。
【請求項８】
請求項７記載の車両用交流発電機の制御装置において、
前記磁性体収容溝に面する前記コネクタ部の周壁は、前記磁性体収容溝の開口を狭窄するリブを有し、前記周壁及びリブは、前記磁性体収容溝への前記磁性体の挿入を許容する開口拡幅方向への弾性変形特性を有することを特徴とする車両用交流発電機の制御装置。
【請求項９】
請求項５記載の車両用交流発電機の制御装置において、
前記磁性体は、導電性磁性材料により形成されて樹脂製の前記ケ−ス又はコネクタ部により電気絶縁されることを特徴とする車両用交流発電機の制御装置。
【請求項１０】
請求項５記載の車両用交流発電機の制御装置において、
前記バッテリ電圧給電端子又は前記ＩＧオン検出端子は、長手方向と直角方向の断面が略長方形に形成され平板形状を有し、
前記磁性体は、長穴を有することを特徴とする車両用交流発電機の制御装置。
【請求項１１】
請求項１０記載の車両用交流発電機の制御装置において、
前記バッテリ電圧給電端子の先端部は、基部よりも広幅のリング状の先端部を有し、
前記バッテリ電圧給電端子に嵌着される前記磁性体は、前記先端部が貫通可能な長穴を有することを特徴とする車両用交流発電機の制御装置。
【請求項１２】
請求項５乃至１１のいずれか記載の車両用交流発電機の制御装置において、
前記磁性体は、複数の端子が別々に貫通する複数の貫通孔を有することを特徴とする車両用交流発電機の制御装置。
【発明の詳細な説明】
【０００１】
【発明の属する技術分野】
本発明は、車両用交流発電機の制御装置に関する。
【０００２】
【従来の技術】
近年、携帯電話やナビゲーションシステムの普及に伴い、車両の高周波電磁界が増大している。
【０００３】
一定強度の電磁波が電子機器へ与える影響はよく知られているようにその周波数の増加につれて増加するため、携帯電話などで用いられる高周波電波が車両用交流発電機の制御装置に与える悪影響を低減することが要望されている。同時に、車両用交流発電機の制御装置（レギュレ−タともいう）から発生する電磁波ノイズが車載電子装置や上記携帯電話やナビゲーションシステムに与える悪影響も防止することも要望されている。これらの電磁波ノイズの多くは、電子装置内外の配線に誘導され、配線を通じて電子装置内の素子動作に悪影響を与える。以下、この配線誘導ノイズをライン重畳ノイズともいうものとする。
【０００４】
このライン重畳ノイズの低減のために、従来より、フェライトリングコア、貫通コンデンサ、バイパスコンデンサなどを配線に嵌着したり、接続したりすることが知られている。
【０００５】
これらの素子は、ラインのインダクタンス又は配線抵抗と、寄生容量を含むバイパス容量とにより構成されるロ−パスフィルタを構成し、高周波の電磁波ノイズを遮断ないし低減する特性を有する。
【０００６】
たとえば、特開平５−１９０６２０号公報は、コネクタのタ−ミナルを囲んでフェライトリングコア又は貫通コンデンサをなす筒状の雑音吸収部材をコネクタに内蔵又は一体に固定してなる電磁波ノイズ防止機能付きコネクタを提案している
また、特開平５−２９０４２号公報は、ハウジングの壁部に固定されたコネクタのタ−ミナル（コネクタピン）を囲んで上記壁部にフェライトリングコアを固定することを圧入、固定することを提案している。
【０００７】
更に、特開平７−１１５７３７号公報は、車両用交流発電機の制御装置（以下、単にレギュレ−タともいう）のバッテリ電圧変動の比較判定用のコンパレ−タの正負一対の入力端間にバイパスコンデンサを設けて、Ｌ端子からの電磁波ノイズの侵入を抑止することを提案している。
【０００８】
従来の車両用交流発電機のレギュレ−タは、一端が車両用交流発電機の界磁コイルを通じてバッテリの一端に接続され、他端が前記バッテリの他端にされ、界磁コイルの通電電流をスイッチング制御するスイッチングトランジスタを有する出力回路部と、バッテリから給電されて内部電源電圧を形成する内部電源回路部と、内部電源電圧により作動するとともにバッテリ電圧と所定の目標電圧とに基づいてスイッチングトランジスタを断続制御するスイッチングトランジスタ制御回路部、バッテリの高位端に接続されて内部電源回路部に内部電源ラインを通じて給電するバッテリ電圧給電端子と、バッテリの高位端に接続されて前記スイッチングトランジスタ制御回路部に内部バッテリ電圧検出ラインを通じてバッテリ電圧を入力するバッテリ電圧検出端子と、イグニッションスイッチの一端に接続されてイグニッションスイッチオンによる電圧変化をスイッチングトランジスタ制御回路部に内部ＩＧオン検出ラインを通じて入力するＩＧオン検出端子とを備え、車両用交流発電機に固定されている。
【０００９】
【発明が解決しようとする課題】
本発明者らの実験によれば、レギュレ−タのＩＧ端子兼用のＬ端子から侵入する電磁波ノイズをバイパスコンデンサで低減する上記特開平７−１１５７３７号公報の構成では、レギュレ−タ内への電磁波ノイズの侵入低減効果は限定的であり、また、レギュレ−タから発生する電磁波ノイズの低減には効果がないことがわかった。これはレギュレ−タが多数の配線を有し、レギュレ−タへの電磁波ノイズ侵入経路及び放射経路が多岐にわたるためである。
【００１０】
もちろん、レギュレ−タのすべての配線にフェライトリングコアやバイパスコンデンサを装着すれば、これら配線を通じてレギュレ−タに侵入する電磁波ノイズを低減できる。しかしながら、車載の車両用交流発電機に装着されるレギュレ−タのすべての配線にフェライトリングコアやバイパスコンデンサを設けることは、コスト、許される配置スペ−スの点で実用上不可能であった。特に、内燃機関に近接して配置される車両用交流発電機に装着されるレギュレ−タが高温、高振動条件下で供用されることから、十分なノイズ低減をもつ大容量のバイパスコンデンサには耐熱性及び耐振動性を有し、大型のものを用いねばならず、コスト及び搭載スペ−スの問題が更に問題となる。
【００１１】
本発明は上記問題点に鑑みなされたものであり、電磁波ノイズの侵入をその体格増大を抑止しつつ実現可能な車両用交流発電機の制御装置及びそれへの応用に好適なコネクタを提供することをその目的としている。
【００１２】
【課題を解決するための手段】
請求項１記載の車両用交流発電機の制御装置は、界磁コイルの通電電流をスイッチング制御するスイッチングトランジスタを有する界磁電流スイッチング回路部、バッテリの電圧及び所定の目標電圧に基づいて前記スイッチングトランジスタを断続制御するスイッチングトランジスタ制御回路部、前記スイッチングトランジスタ制御回路部へ印加するための内部電源電圧を前記バッテリからの給電電力により形成する内部電源回路部、各前記回路部がモ−ルド封止したＩＣ又は前記各回路部を収容するケース、前記バッテリから前記内部電源回路部に内部電源ラインを通じて給電するバッテリ電圧給電端子、及び、前記内部電源ラインもしくは前記バッテリ電圧給電端子に嵌着される磁性体、車載のイグニッションスイッチの一端に直接又はランプを介して接続されるＩＧオン検出ラインに接続されて前記イグニッションスイッチのオンを検出するＩＧオン検出端子、前記バッテリの高位端に接続されてバッテリ電圧検出ラインを通じて前記バッテリの電圧を前記スイッチングトランジスタ制御回路部に入力するためのバッテリ電圧検出端子、及び、前記バッテリ電圧検出ライン又は前記バッテリ電圧検出端子と前記バッテリの負極電位に等しい電位源とを接続する高周波バイパスコンデンサ、異常を知らせるための警告灯を介して前記バッテリの高位端に接続された警報端子、を備えた車両用交流発電機の制御装置において、前記磁性体は、前記内部電源ラインもしくは前記バッテリ電圧給電端子に嵌着されて前記ケースに固定され、前記バッテリ電圧給電端子、前記ＩＧオン検出端子、前記バッテリ電圧検出端子、前記高周波バイパスコンデンサ及び前記警報端子が、前記スイッチングトランジスタ制御回路部に接続されて前記ケース外部の配線と接続可能に、前記ケースに固定されていることを特徴としている。
【００１３】
請求項１記載の車両用交流発電機の制御装置によれば、バッテリ電圧給電端子からレギュレータ側への高周波入力インピーダンスを増大させることができ、ラインに重畳する高周波ノイズを効果的に低減することができる。この結果、車両用発電機の電圧制御を司る制御装置の駆動電源及び各種基準電位が安定となるので、動作安定性を良好に維持することができる。また、バッテリ電圧給電端子からみたレギュレータ側への高周波入力インピーダンスを極めて高く、かつ、接地に対するインピーダンスが極めて小さくすることができるので、ラインに侵入する高周波ノイズ電流を効果的に接地にバイパスさせることができ、定電圧制御の安定性を一層向上することができる。
【００１４】
請求項２記載の車両用交流発電機の制御装置は、界磁コイルの通電電流をスイッチング制御するスイッチングトランジスタを有する界磁電流スイッチング回路部、バッテリの電圧及び所定の目標電圧に基づいて前記スイッチングトランジスタを断続制御するスイッチングトランジスタ制御回路部、前記スイッチングトランジスタ制御回路部へ印加するための内部電源電圧を前記バッテリからの給電電力により形成する内部電源回路部、各前記回路部がモ−ルド封止したＩＣ又は前記各回路部を収容するケース、前記バッテリから前記内部電源回路部に内部電源ラインを通じて給電するバッテリ電圧給電端子、及び、前記内部電源ラインもしくは前記バッテリ電圧給電端子に嵌着される磁性体、車載のイグニッションスイッチの一端に直接又はランプを介して接続されるＩＧオン検出ラインに接続されて前記イグニッションスイッチのオンを検出するＩＧオン検出端子、及び、前記ＩＧオン検出ライン又は前記ＩＧオン検出端子に嵌着される磁性体、前記バッテリの高位端に接続されてバッテリ電圧検出ラインを通じて前記バッテリの電圧を前記スイッチングトランジスタ制御回路部に入力するためのバッテリ電圧検出端子、及び、前記バッテリ電圧検出ライン又は前記バッテリ電圧検出端子と前記バッテリの負極電位に等しい電位源とを接続する高周波バイパスコンデンサ、異常を知らせるための警告灯を介して前記バッテリの高位端に接続された警報端子、を備えた車両用交流発電機の制御装置において、前記磁性体は、前記バッテリ電圧給電端子及び前記ＩＧオン検出端子のみに嵌着されて前記ケースに固定され、前記バッテリ電圧給電端子、前記ＩＧオン検出端子、前記バッテリ電圧検出端子、前記高周波バイパスコンデンサ及び前記警報端子が、前記スイッチングトランジスタ制御回路部に接続されて前記ケース外部の配線と接続可能に、前記ケースに固定されていることを特徴としている。
【００１５】
請求項２記載の車両用交流発電機の制御装置によれば、バッテリ電圧給電端子からレギュレータ側への高周波入力インピーダンスを増大させることができ、ラインに重畳する高周波ノイズを効果的に低減することができる。この結果、車両用発電機の電圧制御を司る制御装置の駆動電源及び各種基準電位が安定となるので、動作安定性を良好に維持することができる。さらに、ＩＧオン検出端子からレギュレータ側への高周波入力インピーダンスを増大させることができ、ラインに重畳する高周波ノイズを効果的に低減することができる。この結果、車両用発電機の電圧制御を司る制御装置の駆動電源及び各種基準電位が安定となるので、動作安定性を良好に維持することができる。また、バッテリ電圧給電端子からみたレギュレータ側への高周波入力インピーダンスを極めて高く、かつ、接地に対するインピーダンスが極めて小さくすることができるので、ラインに侵入する高周波ノイズ電流を効果的に接地にバイパスさせることができ、定電圧制御の安定性を一層向上することができる。
【００１６】
請求項３記載の車両用交流発電機の制御装置は、界磁コイルの通電電流をスイッチング制御するスイッチングトランジスタを有する界磁電流スイッチング回路部、バッテリの電圧及び所定の目標電圧に基づいて前記スイッチングトランジスタを断続制御するスイッチングトランジスタ制御回路部、前記スイッチングトランジスタ制御回路部へ印加するための内部電源電圧を前記バッテリからの給電電力により形成する内部電源回路部、各前記回路部がモ−ルド封止したＩＣ又は前記各回路部を収容するケース、前記バッテリから前記内部電源回路部に内部電源ラインを通じて給電するバッテリ電圧給電端子、及び、前記内部電源ラインと直列に接続されるインダクタンス素子、車載のイグニッションスイッチの一端に直接又はランプを介して接続されるＩＧオン検出ラインに接続されて前記イグニッションスイッチのオンを検出するＩＧオン検出端子、前記バッテリの高位端に接続されてバッテリ電圧検出ラインを通じて前記バッテリの電圧を前記スイッチングトランジスタ制御回路部に入力するためのバッテリ電圧検出端子、及び、前記バッテリ電圧検出ライン又は前記バッテリ電圧検出端子と前記バッテリの負極電位に等しい電位源とを接続する高周波バイパスコンデンサ、警告灯を介して前記バッテリの高位端に接続された異常を知らせるための警報端子、を備えた車両用交流発電機の制御装置において、前記インダクタンス素子は、前記内部電源ラインと前記バッテリ電圧給電端子とに直列接続されて前記ケースに固定され、前記バッテリ電圧給電端子、前記ＩＧオン検出端子、前記バッテリ電圧検出端子、前記高周波バイパスコンデンサ及び前記警報端子は、前記スイッチングトランジスタ制御回路部に接続されて前記ケース外部の配線と接続可能に、前記ケースに固定されていることを特徴としている。
【００１７】
請求項３記載の車両用交流発電機の制御装置によれば、バッテリ電圧給電端子からレギュレータ側への高周波入力インピーダンスを増大させることができ、ラインに重畳する高周波ノイズを効果的に低減することができる。この結果、車両用発電機の電圧制御を司る制御装置の駆動電源及び各種基準電位が安定となるので、動作安定性を良好に維持することができる。更に、ケースに後付け可能なハイブリッド基板などに他の素子一緒にまとめて実装できるので、組み立て工程を簡素とすることも可能となる。また、バッテリ電圧給電端子からみたレギュレータ側への高周波入力インピーダンスを極めて高く、かつ、接地に対するインピーダンスが極めて小さくすることができるので、ラインに侵入する高周波ノイズ電流を効果的に接地にバイパスさせることができ、定電圧制御の安定性を一層向上することができる。
【００１８】
請求項４記載の車両用交流発電機の制御装置は、界磁コイルの通電電流をスイッチング制御するスイッチングトランジスタを有する界磁電流スイッチング回路部、バッテリの電圧及び所定の目標電圧に基づいて前記スイッチングトランジスタを断続制御するスイッチングトランジスタ制御回路部、前記スイッチングトランジスタ制御回路部へ印加するための内部電源電圧を前記バッテリからの給電電力により形成する内部電源回路部、各前記回路部がモ−ルド封止したＩＣ又は前記各回路部を収容するケース、前記バッテリから前記内部電源回路部に内部電源ラインを通じて給電するバッテリ電圧給電端子、及び、前記内部電源ラインと直列に接続されるインダクタンス素子、車載のイグニッションスイッチの一端に直接又はランプを介して接続されるＩＧオン検出ラインに接続されて前記イグニッションスイッチのオンを検出するＩＧオン検出端子、及び、前記ＩＧオン検出ラインに直列に装着されるインダクタンス素子、前記バッテリの高位端に接続されてバッテリ電圧検出ラインを通じて前記バッテリの電圧を前記スイッチングトランジスタ制御回路部に入力するためのバッテリ電圧検出端子、及び、前記バッテリ電圧検出ライン又は前記バッテリ電圧検出端子と前記バッテリの負極電位に等しい電位源とを接続する高周波バイパスコンデンサ、警告灯を介して前記バッテリの高位端に接続された異常を知らせるための警報端子、を備えた車両用交流発電機の制御装置において、前記インダクタンス素子は、前記バッテリ電圧給電端子及び前記ＩＧオン検出端子のみに直列接続されて前記ケースに固定され、前記バッテリ電圧給電端子、前記ＩＧオン検出端子、前記バッテリ電圧検出端子、前記高周波バイパスコンデンサ及び前記警報端子は、前記スイッチングトランジスタ制御回路部に接続されて前記ケース外部の配線と接続可能に、前記ケースに固定されていることを特徴としている。
【００１９】
請求項４記載の車両用交流発電機の制御装置によれば、バッテリ電圧給電端子からレギュレータ側への高周波入力インピーダンスを増大させることができ、ラインに重畳する高周波ノイズを効果的に低減することができる。この結果、車両用発電機の電圧制御を司る制御装置の駆動電源及び各種基準電位が安定となるので、動作安定性を良好に維持することができる。更に、ケースに後付け可能なハイブリッド基板などに他の素子一緒にまとめて実装できるので、組み立て工程を簡素とすることも可能となる。また、バッテリ電圧給電端子からみたレギュレータ側への高周波入力インピーダンスを極めて高く、かつ、接地に対するインピーダンスが極めて小さくすることができるので、ラインに侵入する高周波ノイズ電流を効果的に接地にバイパスさせることができ、定電圧制御の安定性を一層向上することができる。
【００２２】
上記請求項１及び３の好適態様を以下に説明する。
【００２３】
この好適態様によれば、レギュレ−タ（特にそのスイッチングトランジスタ制御回路部）に回路動作のための電源電力を給電するバッテリ電圧給電端子（ＢＲ端子）又はそれとレギュレ−タの内部回路とを接続する内部電源ラインと、イグニッションスイッチの開閉による電圧信号をレギュレ−タ（特にそのスイッチングトランジスタ制御回路部）に入力するＩＧオン検出端子（従来のＩＧ端子又はＬ端子（イグニッションスイッチ開閉検出兼用の場合））又はそれとレギュレ−タのスイッチングトランジスタ制御回路部とを接続するＩＧオン検出ラインとに、電磁波ノイズ低減のために磁性体を嵌着し、レギュレ−タのスイッチングトランジスタ制御回路部にバッテリ電圧の変化を入力するためのバッテリ電圧検出端子（Ｓ端子）又はそれとレギュレ−タのスイッチングトランジスタ制御回路部とを接続する内部バッテリ電圧検出ラインとはバイパスコンデンサを接続することにより、レギュレ−タのコスト及び体格増大を抑止しつつレギュレ−タの電磁波ノイズ受信又は放射（配線を通じての）を従来より格段に低減することを実現する。
【００２４】
すなわち、本構成では、バイパスコンデンサ（貫通コンデンサを含む）はＳ端子又はそれとレギュレ−タのスイッチングトランジスタ制御回路部とを接続する内部バッテリ電圧検出ラインだけに配置される。
【００２５】
このようにすれば、１個のバイパスコンデンサと２個のフェライトリングコアのごとき磁性体を用いるだけであるので、レギュレ−タの体格増大及びコスト増大を抑止しつつレギュレ−タへの電磁波ノイズ侵入とレギュレ−タから配線を通じての電磁波放射を良好に抑止することができる。
【００２６】
以下、更に説明する。まず、Ｓ端子からレギュレ−タ内部に侵入する電磁波ノイズについて考える。
【００２７】
Ｓ端子は、内部電源ラインを通じて高い入力インピ−ダンスをもつ電圧比較用コンパレ−タ（基準電圧とＳ端子から入力されるバッテリ電圧とを比較する）に接続される。なお、Ｓ端子からこのコンパレ−タに入力する前に分圧回路で分圧する場合もある。
【００２８】
いずれにせよ、Ｓ端子とバッテリ電圧とを接続する外部ラインを高周波ノイズ電源と考えた場合、上記分圧回路の抵抗又はコンパレ−タの入力インピ−ダンスからなるこの高周波ノイズ電源の負荷インピ−ダンスは十分に大きく、これと並列にバイパスコンデンサを接続することにより高周波電磁波ノイズ電流のほとんどは容易にバイパスコンデンサを流れ、排除（バイパス）させることができる。これは、Ｓ端子が信号端子であり、レギュレ−タ内の比較的高抵抗の負荷に接続されているためである。
【００２９】
これに対し、Ｓ端子又はそれに接続される内部バッテリ電圧検出ラインにフェライトリングコアを接続する場合を考える。この場合、このフェライトリングコアは、上記比較的高抵抗の負荷に接続される配線インダクタンスを増加させるものであるが、上記負荷が比較的大きいためによほど配線インダクタンスを大きくしないとノイズ低減効果が得られないという問題と、バッテリ電圧変化が上記負荷とこの増加した配線インダクタンスで分圧され、負荷へのバッテリ電圧変化の入力分が減少するという問題とがある。
【００３０】
すなわち、バッテリ電圧の変化を追従性よく検出しつつＳ端子から侵入する電磁波ノイズを低減するには、バイパスコンデンサの採用がフェライトリングコア（磁性体）より好適であることがわかる。
【００３１】
次に、ＢＲ端子からレギュレ−タ内部に侵入する電磁波ノイズについて考える。
【００３２】
ＢＲ端子は、レギュレ−タに電源電流を供給するため、等価回路で考えると、ＢＲ端子とバッテリとを接続する外部ラインに電磁的あるいは静電的に誘導される電磁波ノイズ電圧はレギュレ−タの比較的小さい負荷に印加されることになる。
【００３３】
したがって、このＢＲ端子またはそれにつながる内部電源ラインに磁性体を嵌着してその配線インダクタンスを増大させれば高周波電磁波ノイズ電圧の多くはそれに消費され、レギュレ−タ内に侵入しない。また、このＢＲ端子は電圧変化の伝送による信号の送信を必要としないので、信号の減衰を考慮する必要がない。
【００３４】
これに対して、バイパスコンデンサを上記比較的小さい負荷に並列接続する場合、バイパスコンデンサの容量すなわちインピ−ダンスをＳ端子の上記バイパスコンデンサに比較して格段に大きくする必要があり、これはバイパスコンデンサの体格を格段に増大するという問題を派生してしまう。
【００３５】
次に、ＩＧ端子からレギュレ−タ内部に侵入する電磁波ノイズについて考える。
【００３６】
ＩＧ端子（イグニッションスイッチの開閉による電圧変化をＬ端子を通じて受信する場合にはこのＬ端子を本発明で言うＩＧオン検出端子とみなす）もＳ端子に接続されるレギュレ−タの入力インピ−ダンスに比較して格段に小さい負荷をドライブすればよく、上記したＢＲ端子と同様、磁性体による配線インダクタンスの増大の方がバイパスコンデンサによるレギュレ−タの入力インピ−ダンスと並列のバイパスインピ−ダンスの減少よりも効果的である。また、このＩＧ端子におけるこの磁性体による配線インダクタンスの増大が引き起こす伝送信号振幅の減衰は、ＩＧ端子から入力されるイグニッションスイッチの開閉によるイグニッションスイッチの開閉信号はその振幅が極めて大きい（バッテリ電圧に等しい）ため、回路動作の開始に支障を生じることがない。
【００３７】
次に、Ｌ端子（イグニッションスイッチ開閉信号の伝送を行わない場合）からレギュレ−タ内部に侵入する電磁波ノイズについて考える。
【００３８】
Ｌ端子は、レギュレ−タ内部のランプ駆動トランジスタにより作動され、これはレギュレ−タの出力インピ−ダンスであるので、もしＬ端子からチャ−ジランプを通じてバッテリに至る配線に電磁波ノイズ電圧が重畳したとしても、電磁波ノイズ電圧の一部はチャ−ジランプで消費され、残る部分もこのランプ駆動トランジスタの小さいオン抵抗を通じて消費され、問題は生じない。このランプ駆動トランジスタのＬ端子側の主電極と制御電極との間の寄生容量を通じてレギュレ−タ内部へ電磁波ノイズが侵入する経路があるが、この寄生容量が小さいためにほとんど問題とは成らない。
【００３９】
Ｆ端子は、外部の車両用交流発電機の界磁コイル及び外部配線を通じてバッテリの端子に接続されるとともに、レギュレ−タのスイッチングトランジスタの小さいオン抵抗を通じてバッテリの他端に付属されるので、この外部配線に重畳する電磁波ノイズ電圧の多くは界磁コイルが負担し、レギュレ−タ内部に侵入することはない。
【００４０】
Ｐ端子は、外部配線を通じて外部の車両用交流発電機の電機子コイルに接続されるので、この外部配線に重畳する電磁波ノイズ電圧の多くは電機子コイルが負担し、レギュレ−タ内部に侵入することはない。また、バイパスコンデンサや磁性体を設けることにより、レギュレ−タに入力される発電電圧の大きさを示す信号が減衰することもない。
【００４１】
接地端子は冷却フィンや車両用交流発電機のハウジングなどが異形大型形状でかつ電気抵抗が極めて小さいので、電磁波ノイズによる電位変動が小さく、問題とは成らない。結局、本構成のレギュレ−タは、回路動作に支障を与えることなく、かつ、体格増大を抑止しつつ、従来より格段に大きな耐電磁波ノイズ性能を有する。
【００４２】
上記好適態様の更なる好適態様では、磁性体は、ケ−スのコネクタのタ−ミナルをなすバッテリ電圧給電端子及びＩＧオン検出端子に嵌着される。このようにすれば、後述するように磁性体の取り付けが簡単となる。
【００４３】
請求項６記載の構成は乃至５のいずれか記載の車両用交流発電機の制御装置において、
前記磁性体は、前記バッテリ電圧給電端子と前記界磁コイルとの接続部位よりも前記内部電源回路部側に位置して前記バッテリ電圧給電端子又は前記内部電源ラインに嵌着される。
【００４４】
このようにすれば、大きな磁性体の界磁電流の変化により誘導される磁束により磁性体が磁気飽和することがないので、界磁電流変化期間でも電磁波ノイズがレギュレ−タ内に侵入することがなく、磁性体を格段に小型化することができ、また、磁性体のインダクタンスが界磁電流の変化を抑制することがない。
【００４５】
請求項７記載の構成は請求項６記載の車両用交流発電機の制御装置において更に、前記磁性体が、樹脂製のケ−スに一体に設けられた樹脂製のコネクタ部に埋設される。この埋設は、インサ−ト成形やモ−ルド成形などの周知の製法によりおこなうことができる。
【００４６】
このようにすれば、車両用交流発電機に装着されて高振動環境でも磁性体を良好に固定することができる。また、磁性体は通常フェライトなどの焼結セラミックスを素材として形成されるが、修理交換時にオルタネータを落下させたりあるいは工具をぶつけたりしても磁性体が樹脂により被覆保護されているために、磁性体の破損を防止することができ、更に万が一磁性体にクラックなどが生じたとしても磁性体がレギュレータケースから脱落することがなく、そのインダクタンスの減少はごく僅かであるので、支障なく用いることができる。
【００４７】
更に、接着剤などによる接着を必要としないので、レギュレ−タの高振動、大温度変化繰り返し環境下でも磁性体を安全にレギュレータケースに固定することができる。
【００４８】
請求項８記載の構成によれば請求項６記載の車両用交流発電機の制御装置において更に、磁性体は、樹脂製のケ−スに一体に設けられた樹脂製のコネクタ部の底面に凹設された磁性体収容溝に収容される。
【００４９】
このようにすれば、レギュレータを作製した後で簡単に磁性体を装着、固定することができる。また、車両用交流発電機に装着されて高振動環境でも磁性体を良好に固定することができる。また、磁性体は通常フェライトなどの焼結セラミックスを素材として形成されるが、修理交換時にオルタネータを落下させたりあるいは工具をぶつけたりしても磁性体は、コネクタの底面の更に上記溝に収容されているため、異物が直接に磁性体に衝突することがなく、衝撃はケ−スやそのコネクタ部の樹脂を通じて伝達されるので、衝撃が緩和され、磁性体が破損する確率を低減することができる。
【００５０】
更に万が一磁性体にクラックなどが生じたとしても、磁性体は隙間なく環状の上記溝に収容され、上記溝の両側の側面にて弾性付勢されつつ挟まれているのでばらけたり脱落することがなく、そのインダクタンスの減少はごく僅かであるので、支障なく用いることができる。
【００５１】
更に、接着剤などによる接着を必要としないので、レギュレ−タの高振動、大温度変化繰り返し環境下でも磁性体を安全にレギュレータケースに固定することができる。
【００５２】
請求項９記載の構成によれば請求項８記載の車両用交流発電機の制御装置において更に、上記磁性体収容溝に面するコネクタ部の周壁は、前記溝の開口を狭窄するリブを有し、前記周壁（外周壁部）及びリブ（突部）は、上記溝への磁性体の挿入時に前記磁性体の通過を許す程度に前記溝の開口幅を拡幅する方向へ弾性変形する。
【００５３】
このようにすれば、磁性体収容溝に収容した磁性体のはずれを良好に防止することができる。また、周壁が上記拡幅方向に弾性変形するので、コネクタ部の周壁を樹脂成形した後、周壁内周面に接する金型を抜く場合、リブ（突部）の幅（開口狭窄方向）だけ周壁（外周壁部）が開口幅拡大方向に開いてこの周壁内周面に接する金型を抜くことができ、製造を容易とすることができる。
【００５４】
請求項１０記載の構成によれば請求項６記載の車両用交流発電機の制御装置において、導電性磁性材料により形成された磁性体を樹脂製のケ−ス又はコネクタ部をたとえばタ−ミナルに対して電気絶縁する。
【００５５】
このようにすれば、ケ−ス又はコネクタ部は磁性体の保持部材であるとともにタ−ミナル（コネクタピン）と導電性の磁性体との電気絶縁材としての機能を兼用するので、磁性体の素材として安価な軟鉄などの導電性磁性体を採用することができ、更に磁性体の渦電流損失の増大により電磁波ノイズ低減効果を一層向上することができる。特にＢＲ端子やＩＧ端子は、小電圧の信号の伝送がないので、この渦電流損失増大によるレギュレータへの入力信号電圧の減衰を考慮する必要がなく一層好都合である。
【００５６】
請求項１１記載の構成によれば請求項６記載の車両用交流発電機の制御装置において更に、前記バッテリ電圧給電端子又は前記ＩＧオン検出端子は、長手方向と直角方向の断面が略長方形に形成され平板形状を有し、前記磁性体は、長穴を有することを特徴としている。
【００５７】
このようにすれば、従来の円筒状のフェライトリングコアに比較して磁性体内の平均磁路長を格段に短縮できるため、小型で大きなインダクタンスを得ることができ、特に電源電流の大変化による磁気飽和が生じ易いＢＲ端子において特に有効である。
【００５８】
請求項１２記載の構成によれば請求項１１記載の車両用交流発電機の制御装置において更に、バッテリ電圧給電端子の広幅のリング状の先端部が貫通可能な穴幅をもつ長穴を磁性体に設けるので、磁路長増大を抑止しつつ、磁性体を後付けすることができる。
【００５９】
請求項１３記載の構成によれば請求項６乃至１２のいずれか記載の車両用交流発電機の制御装置において更に、磁性体は複数の端子が別々に貫通する複数の貫通孔を有するので、各端子（タ−ミナル）間の電磁的信号漏洩を抑止しつつ、磁性体の全体体格及び使用磁性体量を低減することができる。
【００７２】
【発明の実施形態】
本発明の車両用交流発電機（オルタネータ）の制御装置の好適な実施態様を以下の実施例を参照して説明する。
【００７３】
【実施例１】
実施例１のレギュレータの軸方向からみた正面図を図１に示し、そのブロック回路図を図２に示す。
【００７４】
このレギュレ−タは、樹脂成形により形成されて図示しない車両用交流発電機に一体に固定されたレギュレータケース（本発明でいうケ−ス）１を有し、レギュレータケース１の表面には金属製の放熱フィン２が固定、露出している。放熱フィン２の見えない裏面には図２に示すレギュレータ回路が集積されたＩＣチップ（レギュレータチップともいう）３が固定されている。
【００７５】
ＩＣチップ３は、コントロ−ル部３１（本発明で言うスイッチングトランジスタ制御回路部及び内部電源回路部）とスイッチ部３２（本発明で言う界磁電流スイッチング回路部）を有している。
【００７６】
コントロ−ル部３１は、入力されるバッテリ電圧と所定の目標電圧とに基づいてスイッチ部３２内の後述するスイッチングトランジスタを断続制御するためのスイッチングトランジスタ制御回路部と、バッテリ４から給電されて上記スイッチングトランジスタ制御回路部へ印加する内部電源電圧を形成する内部電源回路部とを有する。
【００７７】
スイッチ部３２は、一端が車両用交流発電機の界磁コイル５を通じてバッテリ４の一端に接続され、他端がバッテリ３の他端にされ、界磁コイル５の通電電流をスイッチング制御するスイッチングトランジスタを有している。
【００７８】
この種のレギュレ−タの回路構成自体は周知であるので、これ以上の説明は省略する。
【００７９】
レギュレータケース１には、ＢＲ端子（バッテリ電圧給電端子）１１、Ｆ端子１２、Ｐ端子１３、Ｓ端子１４、ＩＧ端子１５、Ｌ端子１６が固定されている。
【００８０】
１１は、バッテリ４の＋端子に給電する車両用交流発電機のＢ端子（直流出力端子）に接続されて、内部電源ライン２１を通じてＩＣチップ３のコントロ−ル部３１に電源電圧を供給するＢＲ端子である。ＢＲ端子１１は、車両用交流発電機内のＢライン８１を通じて車両用交流発電機のＢ端子に接続され、界磁コイル５の一端はＢライン８１、Ｂ端子、外部ライン８２を通じてバッテリ４の＋端子に接続されている。
【００８１】
１２は、界磁コイル５の他端とＩＣチップ３のスイッチ部３２内のスイッチングトランジスタの一端とを接続するＦ端子である。車両用交流発電機のＢ端子から界磁コイル５に給電される界磁電流は、Ｆ端子１２を通じてこのスイッチングトランジスタに流される。
【００８２】
１３は、車両用交流発電機の電機子コイル（図示せず）の一相出力端に接続されて車両用交流発電機の発電を検出するＰ端子である。
【００８３】
１４は、外部ライン８３を通じてバッテリ４の＋端子の電圧（バッテリ電圧）を検出し、このバッテリ電圧をコントロ−ル部３１のスイッチングトランジスタ制御回路部へ内部バッテリ電圧検出ライン２２を通じて入力するＳ端子（バッテリ電圧検出端子）である。
【００８４】
１５は、外部ライン８４を通じてイグニッションスイッチ６の一端に接続されてイグニッションスイッチ６のオン／オフによる電圧変化をコントロ−ル部３１のスイッチングトランジスタ制御回路部へ内部ＩＧオン検出ライン２３を通じて入力するＩＧ端子（ＩＧオン検出端子）である。コントロ−ル部３１の上記内部電源回路部は、イグニッションスイッチ６のオンにより作動してＢＲ端子１１から給電されたバッテリ電圧を定電圧化してコントロ−ル部３１の各部に給電する。
【００８５】
１６は、外部ライン８５を通じて車両の充電系の異常を検出して、ドライバーへ異常を知らせるために、チャージランプ７を介してバッテリ４の＋端子に接続されるＬ端子である。
【００８６】
１７は、ＩＣチップ３のコントロ−ル部３１、スイッチ部３２の接地ラインを接地する接地端子であり、放熱フィン２により兼用され、車両用交流発電機のハウジングを通じて接地されている。
【００８７】
レギュレータケース１は、樹脂成形されたコネクタ１８をもち、コネクタ１８は、レギュレータケース１の主部から突出してＳ端子（バッテリ電圧検出端子）１４、ＩＧ端子（ＩＧオン検出端子）１５、Ｌ端子１６を囲む筒状のコネクタ部１９を有している。Ｓ端子（バッテリ電圧検出端子）１４、ＩＧ端子（ＩＧオン検出端子）１５、Ｌ端子１６は、コネクタ１８のコネクタピン（タ−ミナル）をなし、図３に示すようにコネクタ部１９内にて互いに所定間隔を隔てて一列に並んで配設されている。
【００８８】
８は、レギュレータケース１に固定されて、Ｓ端子１４又は内部バッテリ電圧検出ライン２２とたとえば冷却フィン２である接地端とを接続するバイパスコンデンサである。
【００８９】
９、１０は、レギュレータケース１に固定されるフェライトリングコア（磁性体）であり、フェライトリングコア９はＩＧ端子１５に、フェライトリングコア１０はＢＲ端子１１に嵌着されている。フェライトリングコア９は、ＩＧ端子１５に嵌着され、図３に示すようにＩＧ端子１５を囲んでコネクタ１８の底面に固定されている。フェライトリングコア１０は、ＢＲ端子１１に嵌着され、樹脂成形されたレギュレータケース１に埋設されている。磁性体をなすフェライトリングコア９、１０はそれぞれ１μＨのインダクタンスをもち、１００ＭＨｚで約６００Ωの交流インピ−ダンス（リアクタンス）を有する。また、バイパスコンデンサ８は、１μＦの静電容量を有し、１００ＭＨｚで約１．６ｍΩの交流インピ−ダンスをもつ。
【００９０】
（作用効果）
上記説明したこの実施例の車両用交流発電機の制御装置によれば、上述した作用効果を奏することができ、耐電磁波ノイズ性に優れたレギュレ−タを実現することができる。
【００９１】
更に説明すれば、レギュレ−タ内の比較的高抵抗の負荷に接続されるＳ端子１４にはバイパスコンデンサを接続して、配線の交流インピ−ダンスを大幅に増大して信号電圧の減衰を抑止しつつ、電磁波ノイズ電圧の侵入阻止を実現でき、レギュレ−タの比較的小さい負荷に接続されるＢＲ端子及びＩＧオン検出端子にはそれに対して直列に高周波帯域で大きな交流インピ−ダンスを接続して電磁波ノイズ電圧のレギュレ−タへの侵入を阻止し、体格、コストの増大を抑止しつつ電磁波ノイズ耐性に優れたレギュレ−タを実現することができる。
【００９２】
また、フェライトリングコア９、１０はレギュレ−タのコネクタをなすＢＲ端子及びＩＧ端子に嵌着されるので、フェライトリングコア９、１０の後付けやインサ−ト成形による樹脂埋設が簡単となる。
【００９３】
また、フェライトリングコア１０は、ＢＲ端子と界磁コイル５との接続部位よりもレギュレ−タ側に位置してＢＲ端子又は内部電源ライン２１に嵌着されるので、フェライトリングコア１０に界磁電流の大変化による磁束がフェライトリングコア１０を磁気飽和させることがなく、フェライトリングコア１０を小型化することができる。
【００９４】
また、フェライトリングコア１０は、樹脂製のケ−スに一体に設けられた樹脂製のコネクタ部に埋設されるので、車両用交流発電機という高振動、かつ、温度変化が激しい環境下でも磁性体を良好に固定することができ、フェライトリングコア１０の保護、支持を良好に行うことができる。
【００９５】
また、フェライトリングコア９は、樹脂製のケ−スに一体に設けられた樹脂製のコネクタ部の底面に凹設された磁性体収容溝に収容されるので、レギュレータを作製した後で簡単に磁性体を装着、固定することができ、高振動環境下でもフェライトリングコア９を良好に保護、固定することができる。
【００９６】
（変形態様）
図５に変形態様を示す。この変形態様はＩＧ端子兼用のＬ端子にフェライトリングコア９を設けたものであり、上記説明した実施例１のフェライトリングコア９と同じ作用効果を奏することができる。
【００９７】
【実施例２】
本発明の車両用交流発電機の制御装置の他の実施例を図６を参照して以下に説明する。ただし、実施例１に対する変更部分はＩＧ端子近傍だけであるので、磁性体近傍だけを説明する。
【００９８】
コネクタ１８０ａは、樹脂成形されたコネクタ部１９０と、基部がコネクタ部１９０に埋めこまれ先端部が突出するＩＧ端子１５０を有している。
【００９９】
コネクタ部１９０の先端面にはＩＧ端子１５０を囲む磁性体収容溝１９１が凹設され、磁性体収容溝１９１には軟鉄リングからなる磁性体１００が圧入されている。
【０１００】
１９２は磁性体収容溝１９１を囲む外周壁であり、外周壁１９２の先端には径方向内向きの突起１９３が設けられている。１９４はＩＧ端子１５０に嵌着された磁性体収容溝１９１の径方向内側の内周壁である。
【０１０１】
この磁性体収容溝１９１に磁性体１００を収容する状態を図７に示す。
【０１０２】
磁性体１００は、突起１９３を径方向外側へ付勢して磁性体収容溝１９１の開口を拡径し、磁性体１００の挿入を可能とする。この時、外周壁１９２はその基部を中心として径方向外側に弾性変形する。磁性体１００の収容後、外周壁１９２は元の状態に縮径し、突起１９３は磁性体１００の先端を押さえてその磁性体収容溝１９１からの離脱を阻止する。
【０１０３】
このような開口が狭窄された磁性体収容溝１９１は磁性体１００の部分に金型を設けて樹脂成形により形成されるが、樹脂固化後、この金型を図７に示す上方へ引き抜くと、突部１９３及び外周壁１９２は上記した磁性体１００の挿入時と同様に弾性変形するので、この金型の円滑な引き抜きが可能となる。
【０１０４】
また、内周壁１９４は、磁性体１００とＩＧ端子１５０との間を電気絶縁する。
【０１０５】
この実施例では、磁性体１００は軟鉄リングからなるので、高周波電磁波ノイズ電圧に対して大きな渦電流損失を発生し、一層の電磁波ノイズ阻止効果を奏することができる。もちろん、ＩＧ端子１５０の代わりにＢＲ端子にこの磁性体１００を装着してもよい。
【０１０６】
【実施例３】
本発明の車両用交流発電機の制御装置の他の実施例を図８、図９を参照して以下に説明する。ただし、実施例１に対する変更部分はＩＧ端子近傍だけであるので、磁性体近傍だけを説明する。
【０１０７】
コネクタ１８１ａは、樹脂成形されたコネクタ部２００と、基部がコネクタ部２００に埋めこまれ先端部が突出し、それぞれ平板状のタ−ミナルをなすＩＧ端子１５１及びＬ端子１５２を有している。
【０１０８】
１０１は、軟鉄リングからなる磁性体であり、コネクタ部２００にＩＧ端子１５１及びＬ端子１５２から電気絶縁可能に埋設されている。磁性体１０１は、ＩＧ端子１５１及びＬ端子１５２に合わせて長穴２０１を有し、端子１５１、１５２の幅方向と磁性体１０１の長穴２０１の幅方向は平行となっている。
【０１０９】
このようにすれば、磁性体１０１を小型化しつつ両端子１５１、１５２に重畳する電磁波ノイズ電圧を低減することができる。
【０１１０】
【実施例４】
本発明の車両用交流発電機の制御装置の他の実施例を図１０、図１１を参照して以下に説明する。ただし、実施例１に対する変更部分はＩＧ端子近傍だけであるので、磁性体近傍だけを説明する。
【０１１１】
コネクタ１８２ａは、樹脂成形されたコネクタ部２０２と、基部がコネクタ部２０２に埋めこまれ先端部が突出し、それぞれ平板状のタ−ミナルをなすＩＧ端子１５１及びＬ端子１５２を有している。
【０１１２】
１０２は、軟鉄リングからなる磁性体であり、コネクタ部２０２にＩＧ端子１５１及びＬ端子１５２から電気絶縁可能に埋設されている。磁性体１０２は、ＩＧ端子１５１及びＬ端子１５２が個別に貫通する一対の長穴２０３を有し、端子１５１、１５２の幅方向と磁性体１０２の長穴２０３の幅方向は平行となっている。
【０１１３】
このようにすれば、磁性体１０２を小型化しつつ両端子１５１、１５２に重畳する電磁波ノイズ電圧を低減することができ、両端子間の信号電圧の漏れも防止することができる。
【０１１４】
【実施例５】
本発明の車両用交流発電機の制御装置の他の実施例を図１２、図１３を参照して以下に説明する。ただし、実施例１に対する変更部分はＢＲ端子近傍だけであるので、磁性体近傍だけを説明する。
【０１１５】
コネクタ１８３ａは、樹脂成形されたコネクタ部２０３と、基部がコネクタ部２０３に埋めこまれ先端部が突出した平板状のタ−ミナルをなすＢＲ端子１５５を有している。
【０１１６】
１０３は、軟鉄リングからなる磁性体であり、コネクタ部２０３にＢＲ端子１５５から電気絶縁可能に埋設されている。磁性体１０３は、ＢＲ端子１０３が貫通する長穴２０５を有し、端子１５５の幅方向と磁性体１０３の長穴２０５の幅方向は平行となっている。
【０１１７】
このようにすれば、磁性体１０３を小型化しつつＢＲ端子１５５に重畳する電磁波ノイズ電圧を低減することができ、両端子間の信号電圧の漏れも防止することができる。
【０１１８】
ＢＲ端子１５５の先端部１５６はその基部よりも広幅に形成されており、長穴２０５はＢＲ端子１５５が貫通可能な内幅を有している。
【０１１９】
このようにすれば、磁性体１０３の取り付けが容易であるとともに、磁性体の必要インダクタンス値を確保しつつその小型化を図ることができる。
【０１２０】
【実施例６】
本発明の車両用交流発電機の制御装置の他の実施例を図１４を参照して以下に説明する。ただし、実施例１に対する変更部分はＩＧ端子近傍だけであるので、磁性体近傍だけを説明する。
【０１２１】
コネクタ３００は、樹脂成形されたコネクタ部３０１と、基部がコネクタ部３０１に埋めこまれ先端部が突出した平板状のタ−ミナルをなすＩＧ端子１５１とＬ端子１５２とを有している。
【０１２２】
このコネクタ部３０１は、樹脂に軟磁性のフェライト粉末を混入して成形したものであり、レギュレータケース１にはめ込まれている。
【０１２３】
このようにすれば、簡素な組み立て工程で体格増大を抑止しつつ電磁波ノイズのＩＧ端子１５１とＬ端子１５２とからの侵入を阻止することができる。
【図面の簡単な説明】
【図１】実施例１の車両用交流発電機の制御装置の軸方向にみた部分正面図である。
【図２】図１の車両用交流発電機の制御装置のブロック回路図である。
【図３】図１の車両用交流発電機のＢ方向矢視図である。
【図４】図１のＡ−Ａ線矢視断面図である。
【図５】図１の車両用交流発電機の制御装置の変形態様を示すブロック回路図である。
【図６】実施例２の車両用交流発電機の制御装置の部分断面図である。
【図７】実施例２の組み立て要領を示す断面図である。
【図８】図９のＡ−Ａ線矢視断面図である。
【図９】実施例３の車両用交流発電機の制御装置の部分断面図である。
【図１０】図１１のＡ−Ａ線矢視断面図である。
【図１１】実施例４の車両用交流発電機の制御装置の部分断面図である。
【図１２】実施例５の車両用交流発電機の制御装置の部分断面図である。
【図１３】図１２のＡ−Ａ線矢視断面図である。
【図１４】実施例６の車両用交流発電機の制御装置の部分断面図である。
【符号の説明】
１：ケ−ス
３：ＩＣチップ（レギュレ−タ）
４：バッテリ
５：界磁コイル
８：バイパスコンデンサ（高周波バイパスコンデンサ）
９：フェライトリングコア（磁性体）
１０：フェライトリングコア（磁性体）
１１：ＢＲ端子（バッテリ電圧給電端子）
１４：Ｓ端子（バッテリ電圧検出端子）
１５：ＩＧ端子（ＩＧオン検出端子）
１８：コネクタ
１９：コネクタ部
２１：内部電源ライン
２２：内部バッテリ電圧検出ライン
２３：内部ＩＧオン検出ライン
３１：コントロ−ル部（スイッチングトランジスタ制御回路部、内部電源回路部）
３２：スイッチ部（界磁電流スイッチング回路部）、
１９１：磁性体収容溝
１９２：外周壁（周壁）
１９３：リブ（突部）
【図１】
0004482782.tif 000002
【図２】
0004482782.tif 000003
【図３】
0004482782.tif 000004
【図４】
0004482782.tif 000005
【図５】
0004482782.tif 000006
【図６】
0004482782.tif 000007
【図７】
0004482782.tif 000008
【図８】
0004482782.tif 000009
【図９】
0004482782.tif 000010
【図１０】
0004482782.tif 000011
【図１１】
0004482782.tif 000012
【図１２】
0004482782.tif 000013
【図１３】
0004482782.tif 000014
【図１４】
0004482782.tif 000015